(57)【要約】  視覚的変化に富む立体型なグリーティングカードの提供；厚みのある立体型なグリーティングカードの保持展示に好適なスタンドの提供。  光源を備えた背面板部と影絵投影用シート部との間に、影絵用絵画が形成された原画シート部が介在設置されている立体型グリーティングカード；平板状台紙本体に、一対の折曲突片形成用切れ目が形設されている立体型グリーティングカード用スタンド。
2011132237.tif 000002
【特許請求の範囲】
【請求項１】
光源を備えた背面板部と影絵投影用シート部との間に、影絵用絵画が形成された原画シート部が介在設置されていることを特徴とする立体型グリーティングカード。
【請求項２】
前記影絵投影用シート部の前面に、紙片を重ね張り合せて立体化した絵画が表示されていることを特徴とする請求項１記載の立体型グリーティングカード。
【請求項３】
前記背面板部、原画シート部及び影絵投影用シート部が、折曲開閉蓋を備えた箱体に収納されていることを特徴とする請求項１又は２記載の立体型グリーティングカード。
【請求項４】
前記背面板部が、折曲開閉蓋を開いたときに、外部の光を感知してライトの点滅作動をスタートさせると共に、電子音メロディーを発する作動をスタートさせる手段を備えていることを特徴とする請求項３記載の立体型グリーティングカード。
【請求項５】
前記手段が、光センサー、ＬＥＤランプ、スピーカー、電池及びＩＣから構成されていることを特徴とする請求項４記載の立体型グリーティングカード。
【請求項６】
前記折曲開閉蓋が、その内側にシート状小物を収容するためのポケット部を備えていることを特徴とする請求項３〜５のいずれか１項記載の立体型グリーティングカード。
【請求項７】
平板状台紙本体に、一対の折曲突片形成用切れ目が形設されていることを特徴とする請求項１〜６の何れか１項記載の立体型グリーティングカード用スタンド。
【発明の詳細な説明】
【技術分野】
【０００１】
本発明は、立体型グリーティングカード及び当該カード用スタンドに関する。
【背景技術】
【０００２】
グリーティングカードは、誕生日や入学祝いなどのお祝い；パーティや歓送迎会などの招待；開店や住所変更などのお知らせ等広く利用されている。
而して、従来のグリーティングカードは、一般に絵画部とメッセージ欄部を備えているが、何れも薄い紙製カードに過ぎなかった（例えば、特許文献１参照）ため、視覚的変化に乏しく、また平板的であったのが実状であった。
【先行技術文献】
【特許文献】
【０００３】
【特許文献１】特開平７−５２５８５号公報
【発明の概要】
【発明が解決しようとする課題】
【０００４】
本発明は上記の如き従来の実状に鑑みてなされたもので、視覚的変化に富む立体的なグリーティングカードを提供することを課題としている。
また、本発明は当該厚みのある立体的なグリーティングカードの場合、従来のように写真立て等は利用し得ないため、その保持展示に好適なスタンドを提供することを課題としている。
【課題を解決するための手段】
【０００５】
本発明者は、上記課題を解決すべく種々検討を重ねた結果、影絵を利用すれば極めて斬新で視覚的変化に富むグリーティングカードが得られることを見い出し、本発明の立体型グリーティングカードを完成した。
また、台紙に設けた一対の折曲突片を利用すれば、当該厚みのある立体的なグリーティングカードを簡便に保持展示し得ることを見い出し、本発明の立体型グリーティングカード用スタンドを完成した。【０００６】
すなわち、本発明は、光源を備えた背面板部と影絵投影用シート部との間に、影絵用絵画が形成された原画シート部が介在設置されていることを特徴とする立体型グリーティングカードにより上記課題を解決したものである。
また、本発明は、平板状台紙本体に、一対の折曲突片形成用切れ目が形設されていることを特徴とする立体型グリーティングカード用スタンドにより上記課題を解決したものである。
【発明の効果】
【０００７】
本発明の立体型グリーティングカードによれば、その前面部に影絵が浮び上るので、グリーティングカードを受け取った者は、従来にはない斬新な視覚的変化を楽しむことができる。また、本発明の立体型グリーティングカード用スタンドを用いれば、単に折曲により一対の突片を形成するだけでグリーティングカードを簡便に保持展示することができる。
【図面の簡単な説明】
【０００８】
【図１】本発明立体型グリーティングカードの斜視説明図。
【図２】本発明立体型グリーティングカードの概略分解斜視説明図。
【図３】立体化した絵画構造例を示す断面説明図。
【図４】本発明立体型グリーティングカード収納用箱体の斜視説明図。
【図５】背面板部の概略構成説明図。
【図６】本発明立体型グリーティングカード用スタンドの平面説明図。
【図７】本発明立体型グリーティングカード用スタンドの使用例を示す斜視説明図。
【発明を実施するための形態】
【０００９】
以下本発明の実施の形態を図面と共に説明する。
【００１０】
図１は本発明立体型グリーティングカードの斜視説明図、図２はその概略分解斜視説明図を示している。
当該図１及び図２において、Ｐは立体型グリーティングカードで、背面板部１０と影絵投影用シート部３０との間に、原画シート部２０が適宜間隔にて介在するように、当該背面板部１０、原画シート部２０及び影絵投影用シート部３０を側枠Ｐ１内に設置せしめて構成されている。
当該背面板部１０は光源１１を備えている。この光源としては、例えば豆電球やＬＥＤランプが用いられる。
【００１１】
当該原画シート部２０には影絵用絵画２０ａが形成されている。この影絵用絵画２０ａの具体的な形成方法は、不透明シート体に適宜形状の穴を形成する方法、あるいは透明シート体に適宜絵画を描く方法等その如何を問わない。
当該影絵投影用シート部３０の材質は、影絵を投影し得るものであれば、紙、布あるいは合成樹脂フィルム等その如何を問わない。
【００１２】
当該影絵投影用シート部３０の前面には、図３に示すように、紙片３１ａを適宜スペーサー３１ｂを介在させて重ね貼り合せることにより立体化した絵画（所謂デコパージュ）３１を更に形成表示せしめるのがより装飾性を高める上で望ましい。
【００１３】
また、図４は本発明立体型グリーティングカード収納用箱体の斜視説明図を示している。
当該図４において、４０は箱体で、収容枠部４１と折曲開閉蓋４２を備えていると共に、当該折曲開閉蓋４２の内側にはメッセージカードや写真等のシート状小物４４を収容するためのポケット部４３が形成されている。
【００１４】
この箱体４０に、背面板部１０、原画シート部２０及び影絵投影用シート部３０を収納せしめて立体型グリーティングカードとすれば、当該箱体４０が保護ケートとして機能するので、厚みのある立体型グリーティングカードを安全に輸送・保管することができると共に、折曲開閉蓋４２を開くことにより、容易に立体型グリーティングカードＰを鑑賞することができる。
【００１５】
また、当該ポケット部４３にメッセージカードや記念写真等を収容すれば、立体型グリーティングカードと一緒にそれらを相手方に送ることができる。
【００１６】
斯かる箱体４０に、背面板部１０、原画シート部２０及び影絵投影用シート部３０を収納せしめた立体型グリーティングカードの場合、当該背面板部１０に、折曲開閉蓋４２を開いたときに、外部の光を感知してライトの点滅作動をスタートさせると共に、電子音メロディーを発する作動をスタートさせる手段を設けるのが、更に光と音による変化を楽しめるので、より贈答品としての付加価値を高めることができる。
【００１７】
斯かるライトと電子音を作動させる手段としては、例えば図５に示されるように、背面板部１０上に、光センサー１２、ＬＥＤランプ１３、スピーカー１４、電源１５及びＩＣ１６を配置し、当該ＩＣ１６にそれぞれ光センサー１２、ＬＥＤランプ１３及びスピーカー１４を接続したものが簡便である。因に、当該電源１５としてはボタン電池やソーラーセルが好適に用いられ、ＩＣ１６は、当該電源１５の電力により、光センサー１２が外部の光を感知したときにＬＥＤランプ１３の点滅作動とスピーカー１４による電子音メロディー作動を制御するものである。
尚、当該ＬＥＤランプ１３を配置する場合には、原画シート部２０及び影絵投影用シート部３０はその点滅を外部から視認し得るように透明ないし半透明体とするのが望ましい。
【００１８】
また、図６は本発明立体型グリーティングカード用スタンドの平面説明図を示している。
当該図６において、５０は平板状台紙本体で、その略中央部に一対の折曲突片５２，５３を形設するための切れ目５１が形設されている。この切れ目５１は１本の長手切れ目５１ａとその両端に形設された２本の短手切れ目５１ｂ，５１ｃにより略Ｉ字状を呈しており、谷折線５４，５５により上方折曲可能となっている。当該長手切れ目５１ａと短手切れ目５１ｂ，５１ｃ，との交差部分には一部切除部５１ｄ，５１ｅを設け、折曲突片５２，５３の両角部に丸味を付与するのが安全性に優れ好ましい。
尚、平板状台紙本体５０の材質は折曲可能なものであれば紙、合成樹脂等その如何を問わない。
【００１９】
斯かる平板状台紙本体５０の切れ目５１と谷折線５４，５５に囲まれた部分を上方に折曲することにより一対の折曲突片５２，５３を形成することができる。そこで、当該形成された一対の折曲突片５２，５３間に、図７に示すように立体型グリーティングカードＰを挟み込むことにより当該厚みのある立体型グリーティングカードが安定に保持固定されるので、立て置きディスプレイとして鑑賞に供することができる。
【符号の説明】
【００２０】
Ｐ：立体型グリーティングカード
Ｐ１：側枠
１０：背面板部
１１：光源
２０：原画シート部
２０ａ：影絵用絵画
３０：影絵投影用シート部
３１：立体化した絵画
３１ａ：紙片
３１ｂ：スペーサー
４０：箱体
４１：収容枠部
４２：折曲開閉蓋
４３：ポケット部
５０：平板状台紙本体
５１：切れ目
５１ａ：長手切れ目
５１ｂ，５１ｃ：短手切れ目
５１ｄ，５１ｅ：一部切除部
５２，５３：折曲突片
５４，５５：谷折線
【図１】
2011132237.tif 000003
【図２】
2011132237.tif 000004
【図３】
2011132237.tif 000005
【図４】
2011132237.tif 000006
【図５】
2011132237.tif 000007
【図６】
2011132237.tif 000008
【図７】
2011132237.tif 000009
【国際調査報告】
2011132237.tif 000010
2011132237.tif 000011
2011132237.tif 000012
2011132237.tif 000013